(57)【要約】【課題】ディスクカートリッジにおいて、ハウジング内に侵入したりあるいはハウジング内で発生した塵埃等が磁気ディスクメディアに付着することを防止する。【解決手段】センタコア３に固着保持された円盤状の磁気ディスクメディア４と、この磁気ディスクメディア４を回転させるドライブ装置の回転スピンドルを挿通させるスピンドル孔２ｂを中央部に有して、磁気ディスクメディア４を回転可能に収容したハウジングとを備えてなる磁気ディスクカートリッジにおいて、センタコア３に羽根３ｂを形成するとともに、羽根５ｂを備えた環状部材５を環装し、磁気ディスクメディア４の回転に伴って、ハウジング内に気流を発生させる。【選択図】          図２
2004288314.tif 000002
【特許請求の範囲】
【請求項１】
センタコアに固着保持されたディスク状メディアがハウジング内に回転自在に収容されてなるディスクカートリッジにおいて、
前記センタコアが、該センタコアとともに回転して気流を発生させる羽根を備えたものであることを特徴とするディスクカートリッジ。
【請求項２】
前記羽根が、前記センタコアと一体的に形成されていることを特徴とする請求項１記載のディスクカートリッジ。
【請求項３】
前記羽根が、前記センタコアに環装されて該センタコアとともに回転する環状部材に備えられていることを特徴とする請求項１記載のディスクカートリッジ。
【発明の詳細な説明】
【０００１】
【発明の属する技術分野】
本発明は、ハウジング内にディスク状メディアを収容してなり、このディスク状メディアを回転させて記録再生に利用するディスクカートリッジに関するものである。
【０００２】
【従来の技術】
従来、特許文献１に記載されているような、フレキシブルなポリエステルシート等からなる円盤状の支持体の両面に磁性体層が形成された可撓性磁気記録メディア等のディスク状メディアを、例えば上下シェルハーフを接合してなるハウジング内に回転自在に収容してなるディスクカートリッジが提供されている。なお上記ハウジングにおいては通常、ディスク状メディアを回転させるドライブ装置の回転スピンドルを挿通させるスピンドル孔が中央部に形成されるとともに、記録再生用ヘッド挿入用の窓部が設けられる。この種のディスクカートリッジは、その取扱いの容易性、低コストといった利点から、主としてコンピュータ用の記録媒体として用いられている。
【０００３】
上記構成のディスクカートリッジにおいて、ディスク状メディアに塵埃等が付着すると、それがいわゆるドロップアウトの原因となる。このドロップアウトの問題は、ディスク状メディアの記録密度がより高いほど発生しやすくなる。そこで、例えば３．５インチタイプの磁気ディスクカートリッジ等においては、磁気ディスクメディアに対面するハウジング内面に、磁気ディスクメディアに付着した塵埃等の付着物を除去するライナーを配設した構造が広く採用されている。そのライナーは一般に、磁気ディスクメディアに接触する表面が起毛状態になっている材料から形成され、該表面が回転する磁気ディスクメディアに接触して、そこに付着している塵埃等を該表面部分で払拭、捕捉するようになっている。
【０００４】
【特許文献１】
米国特許第６２５６１６８号公報
【０００５】
【発明が解決しようとする課題】
上述の塵埃等は、ハウジング内に収容されているディスク状メディアが回転すると、いわゆるベルヌーイ効果によりディスクカートリッジの開口部、つまり前述したスピンドル孔や記録再生用ヘッド挿入用の窓部からハウジング内に流入する空気に混入してハウジング内に侵入し、ディスク状メディアに付着するようになる。また、ディスクカートリッジが長時間使用されるのにつれて、ディスク状メディアやハウジング等から摩耗粉が発生し、それがディスク状メディアに付着することもある。
【０００６】
本発明は上記の事情に鑑み、ハウジング内に侵入したりあるいはハウジング内で発生した塵埃等がディスク状メディアに付着することを防止できるディスクカートリッジを提供することを目的とする。
【０００７】
【課題を解決するための手段】
本発明によるディスクカートリッジは、センタコアに固着保持されたディスク状メディアがハウジング内に回転自在に収容されてなるディスクカートリッジにおいて、センタコアが、センタコアとともに回転して気流を発生させる羽根を備えたものであることを特徴とするものである。
【０００８】
ここで「センタコアとともに回転して気流を発生させる羽根」とは、センタコアの回転軸と直交する方向、すなわちディスク状メディアに沿って流れる方向に気流を発生させるものに限らず、センタコアの回転軸と平行な方向に気流を発生させることによりハウジング内を正圧もしくは負圧にし、その結果ディスク状メディアに沿って流れる方向に気流を発生させるものも含む。
【０００９】
上記の羽根は、センタコアと一体的に形成されたものであってもよいし、センタコアに環装されてセンタコアとともに回転する環状部材に備えられたものであってもよい。
【００１０】
上記のディスクカートリッジにおいては、ハウジングの上記スピンドル孔と対向する部分、および、ハウジングの外周部に空気流通孔を設けることが望ましい。その場合は、空気流通孔に、塵埃等の侵入を防止するためのフィルタを設けることが望ましい。
【００１１】
また、ディスク状メディアの回転数は、１０００〜１００００ｒｐｍの範囲で用いることが好ましく、２０００〜７２００ｒｐｍとすればさらに好ましい。
【００１２】
【発明の効果】
本発明によるディスクカートリッジにおいては、センタコアに固着保持されたディスク状のメディアがハウジング内に回転自在に収容されてなるディスクカートリッジにおいて、センタコアに、センタコアとともに回転して気流を発生させる羽根を設け、ディスク状メディアの回転に伴ってハウジング内に空気流を発生させて、ハウジング内に流入してからその内部に存在していた塵埃等を含む空気を、ディスク状メディアの外周部、もしくはハウジング中央部のスピンドル孔に導くことにより、塵埃等がディスク状メディアに付着するのを防止することができるため、ドロップアウトの発生を抑えることが可能となる。
【００１３】
【発明の実施の形態】
以下、図面を参照して本発明の実施の形態を詳細に説明する。図１は本発明の一実施の形態による磁気ディスクカートリッジを示す図であり、図１（ａ）は上面図、図１（ｂ）は下面図、図２は上記磁気ディスクカートリッジの図１（ａ）におけるＩＩ−ＩＩ線断面図、図３は上記磁気ディスクカートリッジのセンタコアを示す図であり、図３（ａ）は羽根起立前の上面図（ａ）、図３（ｂ）は図３（ａ）におけるＰ矢指方向から見た羽根起立後の側面図である。
【００１４】
この磁気ディスクカートリッジは、一例としていわゆる３．５インチタイプのフロッピディスク（登録商標）カートリッジであり、例えばアクリロニトリル−ブタジエン−スチレン共重合体のような合成樹脂から形成された上シェルハーフ１および下シェルハーフ２を接合して形成された扁平なハウジングと、センタコア３に固着保持され、ハウジング内に回転自在に収容された円盤状の磁気ディスクメディア４とを備えてなるものである。
【００１５】
上シェルハーフ１および下シェルハーフ２は扁平なほぼ矩形状とされ、それらの外周には側壁が設けられている。またこれらの上シェルハーフ１および下シェルハーフ２の一部には、それぞれ長方形の磁気ヘッド挿入用窓部１ａ、２ａが設けられている。
【００１６】
上シェルハーフ１の中央部分には、後述の環状突起１ｄを支持するフレームで仕切られた円形の空気流通孔１ｂが開口されており、この空気流通孔１ｂには塵埃等の通過を防止するフィルタ７が設けられている。他方、下シェルハーフ２の中央部分には、上記センタコア３が臨む大きさの円形のスピンドル孔２ｂが開口されている。なお、上シェルハーフ１に設ける空気流通孔１ｂおよびフィルタ７は、図１に示す態様以外にも、例えば図６に示すように中央付近に複数設けてもよい。
【００１７】
また、上シェルハーフ１および下シェルハーフ２の角部には、それぞれ空気流通孔１ｃ、２ｃが開口されており、この空気流通孔１ｃ、２ｃにも塵埃等の通過を防止するフィルタ６が設けられている。さらに、上シェルハーフ１の内面の中心部には、センタコア３の環状部分より内側に位置する環状突起１ｄが突設されている。この環状突起１ｄはセンタコア３の上記環状部分の内側に嵌入して、磁気ディスクメディア４の半径方向への移動を規制する。
【００１８】
本実施の形態の磁気ディスクカートリッジにおいては、下シェルハーフ２のスピンドル孔２ｂに臨む縁部および上記環状突起１ｄの先端部に、エラストマー製のクッション材８、９が設けられている。このクッション材８、９を設けることによって、センタコア３とハウジングが接触した際に、摩耗して摩耗粉が発生するのを防止することができる。なお、このようなクッション材をセンタコア側に設けてもよい。
【００１９】
さらに、上記のハウジングには、磁気ヘッド挿入用窓部１ａ、２ａを開閉するために、不図示のシャッター部材が組み付けられる。
【００２０】
上記磁気ディスクメディア４は、フレキシブルなポリエステルシート等からなる円盤状のベースの両面に磁性体層が形成されたものであり、外周部と内周部とを除く円環状に記録領域が設定され、この記録領域の内外縁部が非記録領域となっている。また磁気ディスクメディア４の中央部は、センタコア３に固着保持されている。
【００２１】
このセンタコア３は、磁気ディスクカートリッジが図示しないドライブ装置に装填されると、該ドライブ装置の回転スピンドルと係合する。そこでこの回転スピンドルが駆動されると、その回転力によって該センタコア３が、つまりは磁気ディスクメディア４が矢印Ｄ方向に回転駆動される。
【００２２】
また、センタコア３の上面部３ａには略コ字状の切込部３ａ´が複数設けられており、この切込部３ａ´が上方に折り曲げて起立させられることにより（図３（ａ）中点線部が谷折りされることにより）、羽根３ｂが形成されている。
【００２３】
さらに、このセンタコア３には、磁気ディスクメディア４の他に、さらに図４に示すような環状部材５が環装されている。図４は環状部材５の上面図であり、この環状部材５は、環状部５ａの外側に複数の羽根５ｂが設けられ、環状部５ａ内側に複数の凸部５ｃが設けられた構造をしており、図５（ａ）に示すように、この凸部５ｃがセンタコア３の側面外周に形成された凹部３ｃと係合することによって、センタコア３と環状部材５とが一体的に回転するように構成されている。
【００２４】
センタコア３に設けられた羽根３ｂと環状部材５に設けられた羽根５ｂの径方向に対する傾き角は、センタコア３が回転した際にセンタコア３の中心方向から外側方向に向けて気流を発生させるよう、回転方向Ｄに対して負角となるように構成されている。なお、上記係合部については、図５（ｂ）に示すように、センタコア３側に凸部３ｄを設け、環状部材５側に凹部５ｄを設け、これらを係合させるようにしてもよい。また、上記凹部の代わりに穴を設けてもよい。
【００２５】
さらに、センタコア３の側面に羽根を設けるに際しては、環状部材５を設ける代わりに、図７に示すような態様としてもよい。図７はセンタコアのその他の態様を示す図であり、図７（ａ）は羽根起立前の側面図、図７（ｂ）は羽根起立後の下面図である。図７に示すように、センタコア３の側面部に略コ字状の切込部３ｅを複数設け、この切込部３ｅを外側に折り曲げて起立させ（図７（ａ）中点線部を谷折りし）、羽根３ｆを形成してもよい。
【００２６】
図２に示すように、上記構成の磁気ディスクカートリッジがドライブ装置に装填されて、センタコア３に固着保持された磁気ディスクメディア４が回転駆動されると、それに伴ってセンタコア３に設けられた羽根３ｂ、およびセンタコア３に環装された環状部材５に設けられた羽根５ｂの作用により、センタコア３の中心方向から外側方向に向けて気流が発生し、ハウジング内の塵埃等を含んだ空気は磁気ディスクメディア４の外周部側に導かれるため、塵埃等が磁気ディスクメディア４に付着するのを防止することができ、ドロップアウトの発生を抑えることが可能となる。
【００２７】
特に、本実施の形態のように、ハウジングの上記スピンドル孔と対向する部分に空気流通孔１ｂ、ハウジングの外周部に空気流通孔１ｃ、２ｃを設けておけば、スピンドル孔２ｂのみならず、上記空気流通孔からも空気が流通するので、空気の流動がより良好になり、塵埃等がディスク状メディアに付着するのを防止する効果がより高くなる。
【００２８】
なお、本実施の形態においては、センタコアの中心方向から外側方向に向けて気流が発生するように羽根の傾き角が負角となるように構成したが、センタコアの回転方向に対して羽根の傾き角を逆転させて、センタコアの外側方向から中心方向に向けて気流が発生するようにしてもよい。また、羽根の形状、取付位置は任意に設定することができる。
【００２９】
また以上説明した実施の形態は、いわゆる３．５インチタイプのフロッピディスク（登録商標）カートリッジに本発明を適用したものであるが、本発明はその種の磁気ディスクカートリッジに限らず、例えば、より小径の磁気ディスクメディアをハウジングに収納してなる磁気ディスクカートリッジに対しても適用可能であり、その場合にも上記と同様の効果を奏するものである。
【図面の簡単な説明】
【図１】本発明の一実施の形態の磁気ディスクカートリッジの上面図（ａ）、および側面図（ｂ）
【図２】上記磁気ディスクカートリッジの図１（ａ）中のＩＩ−ＩＩ線断面図
【図３】上記磁気ディスクカートリッジのセンタコアの上面図（ａ）、および側面図（ｂ）
【図４】上記磁気ディスクカートリッジの環状部材の上面図
【図５】上記磁気ディスクカートリッジのセンタコア付近の断面図
【図６】上記磁気ディスクカートリッジと異なる態様の磁気ディスクカートリッジの上面図
【図７】上記磁気ディスクカートリッジと異なる態様の磁気ディスクカートリッジのセンタコアの側面図（ａ）、および上面図（ｂ）
【符号の説明】
１    上シェルハーフ
２    下シェルハーフ
３    センタコア
３ｂ    羽根
４    磁気ディスクメディア
５    環状部材
５ｂ    羽根
【図１】
2004288314.tif 000003
【図２】
2004288314.tif 000004
【図３】
2004288314.tif 000005
【図４】
2004288314.tif 000006
【図５】
2004288314.tif 000007
【図６】
2004288314.tif 000008
【図７】
2004288314.tif 000009